(57)【要約】【課題】シート内部に設けた光拡散性凹凸による、正面輝度低下、輝度ムラ発生及びモアレ発生の全て防いだ光学シートとこれを用いた面光源装置と画像表示装置を提供する。【解決手段】  光学シート１０は、シート状の本体部１の一方の面１ｐに光拡散性の微小凹凸条２が形成され、この面にさらに複数の単位光学要素３が形成されている。微小凹凸条は網目状パターン２Ｐを呈し、網目状パターンは二つの分岐点Ｂの間を延びて多数の開口領域Ａを画成する多数の境界線分Ｌから構成され、一つの分岐点から延びる境界線分の数の平均値Ｎが、３．０≦Ｎ＜４．０で、開口領域が繰返周期を持つ方向が存在しない領域を含むパターンとなっている。面光源装置はこの光学シートを光源の出光面上に載置し、画像表示装置はこの面光源装置の出光面上にディスプレイパネルを載置する。【選択図】図１
2013011667.tif 000002
【特許請求の範囲】
【請求項１】
シート状の本体部と、この本体部の一方の面に形成された光拡散性の微小凹凸条と、この微小凹凸条が形成されている一方の面上に配置された複数の単位光学要素とを有し、
前記微小凹凸条は、シート状の本体部のシート面に垂直な法線方向から見たときに網目状パターンを呈し、この網目状パターンは二つの分岐点の間を延びて多数の開口領域を画成する多数の境界線分から構成され、一つの分岐点から延びる境界線分の数の平均値Ｎが、３．０≦Ｎ＜４．０であり、且つ、前記開口領域が繰返周期を持つ方向が存在しない領域を含む、光学シート。
【請求項２】
光源と、この光源の出光面上に載置した上記請求項１記載の光学シートとを備える、面光源装置。
【請求項３】
請求項２記載の面光源装置と、この面光源装置の出光面上に載置したディスプレイパネルとを備える、画像表示装置。
【発明の詳細な説明】
【技術分野】
【０００１】
本発明は、光の進行方向を制御する光学シートに関し、特に正面輝度と光拡散性が両立すると共に、光拡散性を付与したが為に正面輝度低下に加えて輝度ムラもモアレも生じない光学シートに関する。また、本発明は、この光学シートを用いた面光源装置と、この面光源装置を用いた画像表示装置に関する。
【背景技術】
【０００２】
画像表示装置に用いられる面光源装置は、光源と、光源からの光の進行方向を変化させる複数の光学シート（光学フィルム）と、を備えている。例えば、光学シートとして、光の進行方向を正面方向へ絞り込み、正面輝度を向上させたりする集光シート、光源光を拡散させて光源の像を目立たなくさせたりする光拡散シート等である。そして、面光源装置は、集光シートと光拡散シートとを適宜組み合わせることで、所望の正面輝度と視野角を実現し且つ光源の像を目立たなくしている。
【０００３】
集光シートとしては、線状に延びる単位光学要素をその長手方向に直交する方向に配列（いわゆる線状配列）してなる光学シートが汎用されている。単位光学要素の形状は、その長手方向に直交する断面（主切断面とも言う）において、代表的には、三角形形状、半楕円形状又は半円形状の断面形状を有している。
【０００４】
光拡散シートとしては、透明樹脂層中に光を拡散させる光拡散性粒子を含有させた光拡散層、透明樹脂層の表面に光を拡散させる光拡散性凹凸を設けた光拡散層、等からなる光学シートが知られている。
【０００５】
また、集光シートと光拡散シートのそれぞれの機能を一体化した光学シートとして、多数の単位光学要素からなるレンズ層乃至はプリズム層と基材シートとの間に光拡散層を設けた光学シートが知られている（特許文献１、特許文献２）。集光機能と光拡散機能とを一体化することで、面光源装置に組み込む部品点数を減らし、複数枚間を開けて使用するときの光学シート間の反射による光損失を減らせる等の利点が得られる。
【０００６】
こうしたシート内部に光拡散機能を付与するには、層中に光拡散性粒子として透明微粒子を分散させて光拡散層の表面に光拡散性凹凸を形成した形態もあるが、透明微粒子は用いずに、エンボス法などの成形法で基材シートや光拡散層の表面に、単位光学要素に比べて小さな寸法の単位プリズム乃至単位レンズ形状を多数配列してなる光拡散性凹凸を形成した形態が、光損失を少なくでき、正面輝度の低下を小さくできる点で有利である。このため、後者の形態では、光拡散性を正面輝度の低下を回避して付与することができる。
【先行技術文献】
【特許文献】
【０００７】
【特許文献１】特許第３６０６６３６号公報
【特許文献２】中華民国特許第Ｉ２８４５９９号明細書
【発明の概要】
【発明が解決しようとする課題】
【０００８】
しかしながら、透明微粒子を用いずに光学シート内部に光拡散性凹凸を形成することで、正面輝度の低下を来たさずに光拡散性を付与できたとしても、この光拡散性凹凸は、透明微粒子のランダムな分散によって生成させた光拡散性凹凸とは異なる。特に、この光拡散性凹凸の集光性が高い特許文献２の形態に於いては、その「第４図」及び「第８図」に図示の如く、直方体等の突起を平面内の２方向（例えば、上下方向及び左右方向）に周期的に配列している。この為、微小凹凸群の凹凸形状の周期性に起因して、レンズやプリズムなどの単位光学要素の規則的配列との干渉によるモアレや、ディスプレイパネルの画素配列との干渉によるモアレが発生することがあった。
なお、単に周期性に起因するモアレを低減するだけであれば、こうした光拡散性凹凸の平面内配列を乱雑（ランダム）化することも考え得る。但し、実際に試作、評価すると、現実には、光拡散性凹凸の配列をモアレが完全に解消する程度に完全にランダム化すると、凹凸形状の面内分布の粗密による面内輝度の輝度ムラが生じる。一方、光拡散性凹凸の配列を輝度ムラが完全に解消する程度に周期性を持たせると、今度はモアレが目立ってしまう。即ち、光拡散性凹凸の配列周期について、モアレ解消効果と輝度分布の均一性（輝度ムラ解消）とを両立させることは困難であった。
【０００９】
すなわち、本発明の課題は、光拡散性を付与する為にシート内部に光拡散性凹凸を設けた光学シートについて、この光拡散性凹凸による正面輝度低下、輝度ムラ発生、及びモアレ発生を全て防ぐことである。また、この光学シートを用いた面光源装置及び画像表示装置を提供することである。
【課題を解決するための手段】
【００１０】
そこで、本発明では、次の様な構成の、光学シート、面光源装置、及び画像表示装置とした。
（１）シート状の本体部と、この本体部の一方の面に形成された光拡散性の微小凹凸条と、この微小凹凸条が形成されている一方の面上に配置された複数の単位光学要素とを有し、
前記微小凹凸条は、シート状の本体部のシート面に垂直な法線方向から見たときに網目状パターンを呈し、この網目状パターンは二つの分岐点の間を延びて多数の開口領域を画成する多数の境界線分から構成され、一つの分岐点から延びる境界線分の数の平均値Ｎが、３．０≦Ｎ＜４．０であり、且つ、前記開口領域が繰返周期を持つ方向が存在しない領域を含む、光学シート。
（２）光源と、この光源の出光面上に載置した上記（１）の光学シートとを備える、面光源装置。
（３）上記（２）の面光源装置と、この面光源装置の出光面上に載置したディスプレイパネルとを備える、画像表示装置。
【発明の効果】
【００１１】
本発明によれば、単位光学要素によって光線の進行方向を変化させると共に、正面輝度の低下を防ぎつつ光拡散性を付与する為に設けた微小凹凸条が呈する網目状パターンが、この網目状パターンで画成される多数の開口領域に、どの方向にも周期性が存在しない特定の網目状パターンを選択した為、ディスプレイパネルの画素配列や単位光学要素の配列との干渉によるモアレも生じさせずに、且つ、輝度ムラも生じさせずに、光拡散性を付与できる。
【図面の簡単な説明】
【００１２】
【図１】本発明による光学シートの一実施形態を説明する斜視図。
【図２】微小凹凸条の主切断面形状の各種例を示す断面図。
【図３】網目状パターンの平面視形状の一例を示す平面図。
【図４】網目状パターンに繰返周期が存在しないことを説明する平面図。
【図５】網目状パターンを設計する方法において、母点を決定する方法を示す図。
【図６】網目状パターンを設計する方法において、母点を決定する方法を示す図。
【図７】網目状パターンを設計する方法において、母点を決定する方法を示す図。
【図８】決定された母点群の分散の程度を絶対座標系と相対座標系で説明する図。
【図９】決定された母点からボロノイ図を作成して網目状パターンを決定する方法を示す図。
【図１０】網目状パターンが光学シートにおける微小凹凸条の形成面の寸法の１／３以上の大きさの単位パターン領域として繰り返された一例を示す平面図。
【図１１Ａ】本発明の光学シートの微小凹凸条が有する網目状パターンを示す平面図。
【図１１Ｂ】ディスプレイパネルの画素配列を示す平面図。
【図１１Ｃ】図１１Ａと図１１Ｂとを重ねた状態を示す平面図。
【図１２Ａ】規則的パターンを有する光学シートを示す平面図。
【図１２Ｂ】ディスプレイパネルの画素配列を示す平面図。
【図１２Ｃ】図１２Ａと図１２Ｂとを重ねた状態を示す平面図。
【図１３】単位光学要素の形状の各種例を示す断面図。
【図１４】本発明による面光源装置の形態例を示す断面図。
【図１５】本発明による画像表示装置の一実施形態例を例示する断面図。
【発明を実施するための形態】
【００１３】
以下、本発明の実施形態について図面を参照しながら説明する。なお、図面は概念図であり、説明上の都合に応じて適宜、構成要素の縮尺関係、縦横比等は誇張されていることがある。
【００１４】
［Ａ］用語の定義：
以下に、本発明において用いる主要な用語について、その定義をここで説明しておく。
【００１５】
「シート面」とは、シート状の光学シート１０を全体的かつ大局的に見た場合において光学シート１０の平面方向と一致する面（凹凸面の場合は包絡面にも相当）のことを意味する。また、この場合、「シート面」は、本体部１の「一方の面１ｐ」或いは「他方の面１ｑ」と平行な面でもある。
「一方の面１ｐ」と「他方の面１ｑ」との面それ自体の区別はないが、微小凹凸条２及び単位光学要素３が常に存在する方の面を「一方の面１ｐ」として取り扱う。
「一方の面１ｐ」は単位光学要素３で埋め尽くされるときは露出しない仮想的な面である。
「一方の面１ｐ」に微小凹凸条２が形成された状態では、微小凹凸条２で画成される開口領域Ａの部分が、微小凹凸条２形成前に存在した「一方の面１ｐ」であり、微小凹凸条２は一方の面１ｐでもある開口領域Ａに対して凸又は凹となり、一方の面１ｐとは厚み方向の水準が異なる。
「他方の面１ｑ」は微小凹凸条２を有さないか、或いは有する面である。
【００１６】
「主切断面形状」とは、光学シート１０のシート面に立てた法線ｎに平行な断面のうち、注目する要素に延在方向が存在する場合に、その延在方向に直交する断面として定義される「主切断面」に於ける形状のことを意味する。
単に「断面」乃至は「断面形状」というときの「断面」とは、シート状の光学部材１０のシート面に立てた法線ｎに平行な断面のことを意味する。
「平面視形状」とは、光学シート１０のシート面に平行な面に於ける形状のことを意味する。言い換えると、「平面視形状」とは、光学シート１０のシート面に立てた法線ｎの方向から見た形状のことを意味する。
【００１７】
「平滑」とは、光学的な意味合いでの平滑を意味するものである。すなわち、ここでは、或る程度の割合の可視光が、光学シート１０の入光面又は出光面においてスネルの法則を満たしながら屈折するようになる程度を意味している。したがって、例えば、本体部１の一方の面１ｐの十点平均粗さＲｚ（ＪＩＳＢ０６０１：１９９４年版）が最短の可視光波長（０．３８μｍ）以下となっていれば、十分、平滑に該当する。
「シート」、「フィルム」、「板」の用語は、呼称の違いのみに基づいて、互いから区別されるものではない。したがって、例えば、「シート」はフィルムや板とも呼ばれ得るような部材も含む概念である。
【００１８】
［Ｂ］光学シート：
先ず、本発明による光学シートを、図１の斜視図で示す一実施形態例を参照して説明する。図１（Ｂ）は図１（Ａ）に対する拡大図である。
【００１９】
図１で例示する本発明の光学シート１０は、シート状の本体部１の一方の面１ｐに、本発明固有の網目状パターン２Ｐからなる光拡散性の微小凹凸条２が設けられている。さらに、この微小凹凸条２が形成されている一方の面１ｐに、多数の単位光学要素３が規則的な配列で配置されている。同図の実施形態例においては、前記単位光学要素３は主切断面形状が二等辺三角形で、その底辺を本体部１側とする形状の単位三角柱プリズムである。
また、本体部１の他方の面１ｑは平滑面の平面となっている。この他方の面１ｑと前記一方の面１ｐとは互いに平行な面となっている。
なお通常、「一方の面１ｐ」と「他方の面１ｑ」とは、互いに平行な面となる。
【００２０】
図１の実施形態例においては、微小凹凸条２が呈する網目状パターン２Ｐは、シート状の本体部１のシート面に垂直な法線ｎの方向から見たときに、二つの分岐点Ｂの間を延びて多数の開口領域Ａを画成する多数の境界線分Ｌから構成され、境界線分Ｌは一つの分岐点Ｂから延びる境界線分Ｌの数の平均値Ｎが、３．０≦Ｎ＜４．０であり、且つ、前記開口領域Ａが繰返周期を持つ方向が存在しない領域からなるパターンとなっている。前記開口領域Ａの面は、一方の面１ｐとなっており、平滑面である。
こうした網目状パターン２Ｐからなる微小凹凸条２によって、モアレも輝度ムラも生じさせずに正面輝度の低下を防ぎつつ光拡散効果を付与することができる。
【００２１】
微小凹凸条２の主切断面形状は、例えば、図２（１）〜（５）の様に凸形状でも良く、図２（６）〜（１０）の様に凹形状でも良く、図２（１１）の様に凸及び凹形状でも良い。要求される光拡散特性によって適宜選択する。
【００２２】
以下、本発明による光学シートを、構成要素毎に更に詳述する。
【００２３】
《本体部》
本体部１は微小凹凸条２を支持する透明な部材であり、樹脂シートの様な有機系部材の他、ガラス、石英、セラミックスなどの無機系部材でも良い。これらは用途に応じて公知の透明な部材から適宜選択すれば良い。例えば、有機系部材として、ポリエチレンテレフタレートなどのポリエステル系樹脂、シクロオレフィン重合体などのポリオレフィン系樹脂、トリアセチルセルロースなどのセルロース系樹脂、アクリル系樹脂、ポリカーボネート系樹脂などからなる樹脂シートを用いることができる。
【００２４】
本体部１の屈折率は、通常、１．３０〜１．７０の範囲から適宜選択される。微小凹凸条２が凹条から構成される場合、この凹条の部分が呈する表面は、本体部１が呈する表面である。このため、光拡散性を発揮させる為に微小凹凸条２と単位光学要素３との界面では屈折率差を有するが、この屈折率差は前記界面を構成する本体部１と単位光学要素３との屈折率差に該当する。
本体部１は、「シート状」であるが、「シート」とは前記定義欄で述べたとおり、フィルムや板も含む概念であり、厚みや剛性によって区別されるものではない。例えば、本体部１の厚みは２５μｍ〜５ｍｍである。
【００２５】
《微小凹凸条》
微小凹凸条２は、光拡散性を付与する為に設けられる光学要素である。
微小凹凸条２は、平面視形状が、多数の開口領域Ａを画成する網目状パターン２Ｐから成り、この開口領域Ａが繰返周期を持つ方向が存在しないランダムパターンとなっている。
図１、図３、図４、及び図１１Ａに図示の形態については、微小凹凸条２が形成されている全領域が、該開口領域Ａが繰返周期を持たないパターンからなっている。図１の形態では、この網目状パターン２Ｐを呈する微小凹凸条２が主切断面形状に於いて、前記開口領域Ａに対して凸形状となっている。
【００２６】
［網目状パターンとこれにより画成される開口領域］
網目状パターン２Ｐは、図３に示す如く、二つの分岐点Ｂの間を延びて多数の開口領域Ａを画成する多数の境界線分Ｌから形成され、一つの分岐点Ｂから延びる境界線分Ｌの数の平均値Ｎが、３．０≦Ｎ＜４．０、つまり、３．０以上で４．０未満であり、且つ、前記境界線分Ｌで画成された前記開口領域Ａに繰返周期を持つ方向が存在しない形状となっている。
【００２７】
さらに、微小凹凸条２が有する網目状パターン２Ｐについて、図３および図９を主として参照しながら、網目状パターン２Ｐを、シート状の光学シート１０のシート面への法線方向から観察した場合における平面視形状で、説明する。
これら図面では、網目状パターン２Ｐはそのパターンが判り易い様に、黒く誇張して描いてあるが、実物は無色透明な物である。
【００２８】
図３および図９に示すように、網目状パターン２Ｐのライン部Ｌｔは、多数の分岐点Ｂを含んでいる。網目状パターン２Ｐのライン部Ｌｔは、両端において分岐点Ｂを形成する多数の境界線分Ｌから構成されている。すなわち、網目状パターン２Ｐのライン部Ｌｔは、二つの分岐点Ｂの間を延びる多数の境界線分Ｌから構成されている。そして、分岐点Ｂにおいて、境界線分Ｌが接続されていくことにより、開口領域Ａが画成されている。言葉を換えて言うと、境界線分Ｌで囲繞され、区画されて１つの閉領域としての開口領域Ａが画成されている。
【００２９】
なお、図３および図９に示すように、ライン部Ｌｔが境界線分Ｌのみから構成されているため、開口領域Ａの内部に延び入って行き止まりとなるライン部Ｌｔは存在しない。このような態様によれば、光学シート１０に十分に低い輝度ムラと高い光拡散性とを同時に付与することを効果的に実現することできる。
【００３０】
一方、モアレの発生を防止するため、本実施形態による光学シート１０が有する網目状パターン２Ｐでは、その全領域が、開口領域Ａが繰返周期を有する方向が存在しないようになっている。モアレを確実に解消する為には、網目状パターン２Ｐの全領域がこのような領域のみから構成されていることが好ましい。本実施形態はこの様な構成からなる。本件発明者らは、鋭意研究を重ねた結果として、単に網目状パターン２Ｐのパターンを不規則化するのではなく、網目状パターン２Ｐの開口領域Ａが一定の規則性を持った繰返周期で並べられた方向が存在しないように網目状パターン２Ｐのパターンを画成することにより、微小凹凸条２を周期的配列した構成の光学シートと周期的画素配列を有するディスプレイパネル３０とを重ねた際に生じ得るモアレを、極めて効果的に目立たなくさせることが出来ると判明した。
また、同様に周期的配列をした単位光学要素３との干渉で生じ得るモアレも、極めて効果的に目立たなくさせることが出来ると判明した。
【００３１】
（繰返周期の不存在）
図４は、網目状パターン２Ｐで画成される多数の開口領域Ａに、繰返周期が存在しないことを説明するＸＹ平面に平行なシート面に於ける平面図である。このシート面の面内において、任意の方向を向く任意の位置に一本の仮想的な直線ｄｉが選ばれている。
この一本の直線ｄｉは、境界線分Ｌと交差し交差点が形成される。この交差点を、図面では図面左下から順に、交差点ｃ１，ｃ２，ｃ３，・・・・・，ｃ９として図示してある。隣接する交差点、例えば、交差点ｃ１と交差点ｃ２との距離が、前記或る一つの開口領域Ａの直線ｄｉ上での寸法ｔ１である。次に、開口領域Ａに直線ｄｉ上で隣接する別の開口領域Ａについても、同様に、直線ｄｉ上での寸法ｔ２が定まる。そして、任意方向で任意位置の直線ｄｉについて、直線ｄｉと交差する境界線分Ｌとから、任意方向で任意位置の直線ｄｉと遭遇する多数の開口領域Ａについて、該直線ｄｉ上における寸法として、ｔ１，ｔ２，ｔ３，・・・・・・，ｔ８が定まる。そして、ｔ１，ｔ２，ｔ３，・・・・・・，ｔ８の数値の並びには、周期性が存在しない。
図４では、このｔ１，ｔ２，ｔ３，・・・・・・，ｔ８は、判り易い様に図面下方に、直線ｄｉと共に網目状パターン２Ｐとは分離して描いてある。
この直線ｄｉを図４で図示のものから任意の角度回転させて別の方向について各開口領域Ａの寸法ｔ１，ｔ２，・・を求めると、やはり図４の場合と同様、直線ｄｉ方向に対して繰返し周期性は見られない。即ち、このｔ１，ｔ２，ｔ３，・・・・・・，ｔ８の数値の並びの様に、境界線分Ｌで画成された開口領域Ａには繰返周期を持つ方向が存在しない。
【００３２】
さらに、本実施形態による光学シート１０の微小凹凸条２が有する網目状パターン２Ｐでは、一つの分岐点Ｂから延び出す境界線分Ｌの数の平均値Ｎが３．０≦Ｎ＜４．０となっている。このように一つの分岐点Ｂから延び出す境界線分Ｌの数の平均値Ｎが３．０≦Ｎ＜４．０となっている場合、網目状パターン２Ｐの配列パターンを、図１２Ａに示された正方格子パターン（Ｎ＝４．０）から大きく異なるパターンとすることができる。また、一つの分岐点Ｂから延び出す境界線分Ｌの数の平均値Ｎが３．０＜Ｎ＜４．０となっている場合には、ハニカム配列（Ｎ＝３．０）からも大きく異なるパターンとすることができる。そして、一つの分岐点Ｂから延び出す境界線分Ｌの数の平均値Ｎを３．０≦Ｎ＜４．０とした上で、開口領域Ａの配列を不規則化して、開口領域Ａが繰返周期を持って並べられた方向が安定して存在しないようにすることが可能となり、その結果、モアレを極めて効果的に目立たなくさせることが可能となることが、確認された。
【００３３】
なお、一つの分岐点Ｂから延び出す境界線分Ｌの数の平均値Ｎは、厳密には、網目状パターン２Ｐ内に含まれる全ての分岐点Ｂについて、延び出す境界線分Ｌの数を調べてその平均値を算出することになる。ただし、実際的には、ライン部Ｌｔによって画成された一つ当たりの開口領域Ａの大きさ等を考慮した上で、一つの分岐点Ｂから延び出す境界線分Ｌの数の全体的な傾向を反映し得ると期待される面積を持つ一区画（例えば、後述の寸法例で開口領域Ａが形成されている網目状パターン２Ｐにおいては、１０ｍｍ×１０ｍｍの部分）に含まれる分岐点Ｂについて延び出す境界線分Ｌの数を調べてその平均値を算出し、算出された値を当該網目状パターン２Ｐについての一つの分岐点Ｂから延び出す境界線分Ｌの数の平均値Ｎとして取り扱うようにしてもよい。
【００３４】
実際に、図３に示された光学シート１０の微小凹凸条２を構成する網目状パターン２Ｐでは、一つの分岐点Ｂから延び出す境界線分Ｌの数の平均値Ｎが３．０＜Ｎ＜４．０となっている。一例を挙げると、図３の網目状パターン２Ｐの場合、合計３８７個の分岐点Ｂについて計測したところ、境界線分Ｌが３本の分岐点Ｂが３７３個、境界線分Ｌが４本の分岐点Ｂが１４個であり（分岐する境界線分Ｌの数が５個以上の分岐点は０個）、分岐点Ｂから出る境界線分Ｌの平均本数（平均分岐数）は３．０４個であった。
【００３５】
（ディスプレイパネル画素配列との干渉によるモアレ発生状況）
そして、図１１Ｃには、図３及び図１１Ａに示された光学シート１０の微小凹凸条２が有する網目状パターン２Ｐを、図１１Ｂに示されたディスプレイパネル３０に於ける典型的な画素配列上に重ねた状態が示されている。図１１Ｃからも理解され得るように、図３及び図１１Ａに示された網目状パターン２Ｐを実際に作製してディスプレイパネル３０の画素配列上に配置した場合、視認され得る程度の縞状の模様、すなわちモアレ（干渉縞）は発生しなかった。
なお、これら図面では、網目状パターン２Ｐはそのパターンが判り易い様に、黒く誇張して描いてあるが、実物は無色透明な物である。
【００３６】
ここで、図１１Ｂで示されたディスプレイパネル３０の画素配列は、ディスプレイパネル３０に於ける典型的な画素配列である。図１１Ｂに示す様に、このディスプレイパネル３０では、一つの画素Ｐは、赤色に発光する副画素（サブピクセル）ＲＰと、緑色に発光する副画素ＧＰと、青色に発光する副画素ＢＰと、から構成されている。すなわち、ディスプレイパネル３０はカラーで画像を形成することができる。図１１Ｂに示された例は、いわゆるストライプ配列として、画素Ｐが形成されている。すなわち、赤色に発光する副画素ＲＰ、緑色に発光する副画素ＧＰおよび青色に発光する副画素ＢＰは、それぞれ、一つの方向（図１１Ｂでは縦方向）に連続して並べられている。一方、赤色に発光する副画素ＲＰ、緑色に発光する副画素ＧＰおよび青色に発光する副画素ＢＰは、当該一つの方向に直交する方向（図１１Ｂでは横方向）に、一つずつ、順に並べられている。なお、図１１Ｂは、ディスプレイパネル３０の画像形成面（出光面、即ち画面）への法線方向、言い換えると、ディスプレイパネル３０のパネル面への法線方向から当該ディスプレイパネル３０を観察した状態で、画素Ｐの配列を示している。
【００３７】
一方、網目状パターン５２Ｐで画成される開口領域Ａに一定の繰返周期が存在する場合のモアレ発生を例示するのが図１２Ａ〜図１２Ｃである。これらの図面でも、網目状パターン５２Ｐはそのパターンが判り易い様に、黒く描いてある。ここでは、網目状パターン５２Ｐは、一定の繰返周期を有することを明示的に示す意味で、以下において、網目状パターン５２Ｐを繰返周期パターン５２Ｐとも言うことにする。
【００３８】
図１２Ａに図示したものは、正方格子状パターンで形成され、縦横方向に所定の周期で配列した繰返周期パターン５２Ｐを呈する微小凹凸条５２を有した光学シートであり、本発明の光学シート１０とは異なるものである。
図１２Ｃには、図１２Ａに示された繰返周期を有する繰返周期パターン５２Ｐを、図１２Ｂに示されたディスプレイパネル３０（図１１Ｂで示したものと同じである）に於ける典型的な画素配列上に重ねた状態が示されている。図１２Ａ、図１２Ｂ及び図１２Ｃからも理解され得るように、繰返周期パターン５２Ｐからなる微小凹凸条５２がディスプレイパネル３０の画素配列上に配置されると、微小凹凸条５２を構成する繰返周期パターン５２Ｐの規則的パターンと画素の規則的パターンとの干渉によって、明暗の筋（図１２Ｃに示された例では、左上から右下に延びている明暗の筋）が視認されるようになる。
【００３９】
なお、図１２Ａおよび図１２Ｃに示された例では、繰返周期パターン５２Ｐによって形成された正方格子の配列方向が、画素Ｐの配列方向に対して、数度傾斜している。この傾斜角をバイアス角（度）と呼称する。このような傾斜は、一般的に、モアレを目立たなくさせるものとして広く用いられている手法である。但し、図１２Ｃに縞状模様が視認されることからも理解され得るように、モアレ発生の程度は単にバイアス角のみで決まる訳では無く、この他、画素Ｐ及び繰返周期パターン５２Ｐの繰返周期比、繰返周期パターン５２Ｐの線幅等の要因にも依存する。繰返周期パターン５２Ｐのバイアス角のみでモアレを解消しようとすると、ディスプレイパネル３０の設計仕様毎に応じてバイアス角の異なる光学シートを用意する必要が有る。
【００４０】
（網目状パターンのパターン形状の作成方法）
ここで、一つの分岐点Ｂから延び出す境界線分Ｌの数の平均値Ｎが３．０≦Ｎ＜４．０であり且つ開口領域Ａが一定の規則性を持った繰返周期で並べられた方向が存在しない網目状パターン２Ｐのパターンを作製する方法の一例を以下に説明する。
【００４１】
ここで説明する方法は、母点を決定する工程と、決定された母点からボロノイ図を作成する工程と、ボロノイ図における一つのボロノイ境界によって結ばれる二つのボロノイ点の間を延びる境界線分Ｌの経路を決定する工程と、決定された経路の太さを決定して各境界線分Ｌを画定して網目状パターン２Ｐ（ライン部Ｌｔ）のパターンを決定する工程と、を有している。以下、各工程について順に説明していく。なお、上述した図３に示されたパターンは、実際に以下に説明する方法で決定されたパターンである。
【００４２】
まず、母点を決定する工程について説明する。最初に、図５に示すように、絶対座標系Ｏ−Ｘ−Ｙ（この座標系Ｏ−Ｘ−Ｙは普通の２次元平面であるが、後述の相対座標と区別する為、頭に「絶対」を付記する）の任意の位置に一つ目の母点（以下、「第１の母点」と呼ぶ）ＢＰ１を配置する。次に、図６に示すように、第１の母点ＢＰ１から距離ｒだけ離れた任意の位置に第２の母点ＢＰ２を配置する。言い換えると、第１の母点ＢＰ１を中心として絶対座標系ＸＹ上に位置する半径ｒの円の円周（以下、「第１の円周」と呼ぶ）上の任意の位置に、第２の母点ＢＰ２を配置する。次に、図７に示すように、第１の母点ＢＰ１から距離ｒだけ離れ且つ第２の母点ＢＰ２から距離ｒ以上離れた任意の位置に、第３の母点ＢＰ３を配置する。その後、第１の母点ＢＰ１から距離ｒだけ離れ且つその他の母点ＢＰ２，ＢＰ３から距離ｒ以上離れた任意の位置に、第４の母点を配置する。
【００４３】
このようにして、次の母点を配置することができなくなるまで、第１の母点ＢＰ１から距離ｒだけ離れ且つその他の母点から距離ｒ以上離れた任意の位置に母点を配置していく。その後、第２の母点ＢＰ２を基準にしてこの作業を続けていく。すなわち、第２の母点ＢＰ２から距離ｒだけ離れ且つその他の母点から距離ｒ以上離れた任意の位置に、次の母点を配置する。第２の母点ＢＰ２を基準にして、次の母点を配置することができなくなるまで、第２の母点ＢＰ２から距離ｒだけ離れ且つその他の母点から距離ｒ以上離れた任意の位置に母点を配置していく。その後、基準となる母点を順に変更して、同様の手順で母点を形成していく。
【００４４】
以上の手順で、網目状パターン２Ｐが形成されるべき領域内に母点を配置することができなくなるまで、母点を配置していく。網目状パターン２Ｐが形成されるべき領域内に母点を配置することができなくなった際に、母点を作製する工程が終了する。ここまでの処理により、２次元平面（ＸＹ平面）に於いて不規則的に配置された母点群が、網目状パターン２Ｐが形成されるべき領域内に一様に分散した状態となる。
【００４５】
このような工程で２次元平面（ＸＹ平面）内に分布された母点群ＢＰ１、ＢＰ２、・・、ＢＰ６（図８（Ａ）参照）について、個々の母点間の距離は一定では無く分布を有する。但し、任意の隣接する２母点間の距離Ｒの分布は完全なランダム分布（一様分布）でも無く、平均値ＲAVGを挾んで上限値ＲMAXと下限値ＲMINとの間の範囲ΔＲ＝ＲMAX−ＲMINの中で分布している。なお、ここで、隣接する２母点であるが、母点群ＢＰ１、ＢＰ２、・・からボロノイ図を作成した後、２つのボロノイ領域ＸＡが隣接していた場合に、その２つのボロノイ領域ＸＡの母点同士が隣接していると定義する。
【００４６】
即ち、ここで説明した母点群について、各母点を原点とする座標系（相対座標系ｏ−ｘ−ｙと呼称し、一方、現実の２次元平面を規定する座標系を絶対座標系Ｏ−Ｘ−Ｙと呼称する）上に、原点に置いた母点と隣接する全母点をプロットした図８（Ｂ）、図８（Ｃ）、・・等のグラフを全母点について求める。そして、これら全部の相対座標系上の隣接母点群のグラフを、各相対座標系の原点ｏを重ね合わせて表示すると、図８（Ｄ）の如きグラフが得られる。この相対座標形上での隣接母点群の分布パターンは、母点群を構成する任意の隣接する２母点間の距離が０から無限大迄の一様分布では無く、原点ｏからの距離がＲAVG−ΔＲからＲAVG＋ΔＲ迄の有限の範囲（半径ＲMINからＲMAX迄のドーナツ形領域）内に分布していることを意味する。
【００４７】
以上の様にして、各母点間の距離を設定することによって、該母点群から以下に説明する方法で得られるボロノイ領域ＸＡ、更には、これから得られる開口領域Ａの外接円直径（乃至は開口領域Ａの面積）の分布についても、一様分布（完全ランダム）では無く、有限の範囲内に分布したものとなる。
この様に構成することにより、網目状パターン２Ｐを目視した際の濃淡（明暗）ムラが、より一層、効果的に解消する。網目状パターン２Ｐの目視時の濃淡ムラを、実質上、目視不能とし、且つ網目状パターン２Ｐの非周期性によるモアレ防止性とも両立させる為には、開口領域Ａの外接円直径Ｄ（開口領域Ａの大きさ）の最大値をＤMAX、最小値をＤMINとしたときに、当該外接円直径Ｄの分布範囲ΔＤ＝ＤMAX−ＤMINが外接円直径Ｄの平均値ＤAVGに対して、
０．１≦ΔＤ／ＤAVG≦０．６
より好ましくは、
０．２≦ΔＤ／ＤAVG≦０．４
とする。
【００４８】
なお、以上の母点を決定する工程において、距離ｒの大きさを変化させることにより、一つあたりの開口領域Ａの大きさを調節することができる。具体的には、距離ｒの大きさを小さくすることにより、一つあたりの開口領域Ａの大きさを小さくすることができ、逆に距離ｒの大きさを大きくすることにより、一つあたりの開口領域Ａの大きさを大きくすることができる。
【００４９】
次に、図９に示すように、配置された母点を基準にして、ボロノイ図を作成する。図９に示すように、ボロノイ図とは、隣接する２つの母点ＢＰ、ＢＰ間に垂直二等分線を引き、その各二等分線同士の交点で結ばれた線分で構成される図である。ここで、二等分線の線分をボロノイ境界ＸＢと呼び、ボロノイ境界ＸＢの端部をなすボロノイ境界ＸＢ同士の交点をボロノイ点ＸＰと呼び、ボロノイ境界ＸＢに囲まれた領域をボロノイ領域ＸＡと呼ぶ。
【００５０】
図９のように作成されたボロノイ図において、各ボロノイ点ＸＰが、網目状パターン２Ｐの分岐点Ｂをなすようにする。そして、一つのボロノイ境界ＸＢの端部をなす二つのボロノイ点ＸＰの間に、一つの境界線分Ｌを設ける。この際、境界線分Ｌは、図３に示された例のように二つのボロノイ点ＸＰの間を直線状に延びるように決定してもよいし、あるいは、他の境界線分Ｌと接触しない範囲で二つのボロノイ点ＸＰの間を種々の経路（例えば、円（弧）、楕円（弧）、抛物線、双曲線、正弦曲線、双曲線正弦曲線、楕円函数曲線、ベッセル関数曲線等の曲線状、折れ線状等の経路）で延びるようにしてもよい。なお、境界線分Ｌは、図３に示された例のように二つのボロノイ点ＸＰの間を直線状に延びるように決定した場合、各ボロノイ境界ＸＢが、境界線分Ｌを画成するようになる。
【００５１】
各境界線分Ｌの経路を決定した後、各境界線分Ｌの線幅（太さ）を決定する。境界線分Ｌの線幅は、微小凹凸条２による光拡散性能、及び微小凹凸条２の不可視性を勘案して、決定される。以上のようにして、網目状パターン２Ｐのパターンを決定することができる。
【００５２】
以上のような本実施形態によれば、光学シート１０の微小凹凸条２が有する網目状パターン２Ｐが、二つの分岐点Ｂの間を延びて多数の開口領域Ａを画成する多数の境界線分Ｌから形成されており、一つの分岐点Ｂから延びる境界線分Ｌの数の平均値Ｎが３．０≦Ｎ＜４．０となっており、且つ、開口領域Ａが繰返周期を持つ方向が存在しないようになっている。この結果、規則的（周期的）に画素Ｐが配列されたディスプレイパネル３０に、この光学シート１０を重ねたとしても、縞状の模様（モアレ、干渉縞）が視認され得る程度に発生することを効果的に防止することができる。
【００５３】
（単位パターン領域としての繰返し）
上述した実施形態では、光学シート１０中の微小凹凸条２の全領域において、該微小凹凸条２が有する網目状パターン２Ｐによって画成される開口領域Ａが繰返周期を持つ方向が存在しないようになっている例を説明した。しかしながら、図１０の様に、その内部に於いて微小凹凸条２が有する網目状パターン２Ｐの全領域が、単位パターン領域Ｓを複数集合して網目状パターン２Ｐの全領域が構成されるようにして、且つ各単位パターン領域Ｓ内に於いては、複数の開口領域Ａが、所定の繰返周期のないパターンで配列されている領域からなるようにしてもよい。
すなわち、この形態に於いては、網目状パターン２Ｐの全領域中に、局所的に見たときに、同一パターンで開口領域群が配列されてなる単位パターン領域Ｓを２箇所以上含むようになる。この場合、特定方向について、一定周期で４箇所以上の繰返しが無ければ、単位パターン領域Ｓ同士の繋ぎ目は実質上目立ち難く、無視し得る。もちろん、単位パターン領域Ｓ中でモアレも濃淡ムラも生じていない。この例において、一つの単位パターン領域Ｓ内における網目状パターン２Ｐのパターンは、例えば、図５〜図９を参照しながら説明したパターン作成方法と同様にして作成することができる。
【００５４】
特に最近では、ディスプレイパネル３０の大型化が進んでおり、この様な大画面のディスプレイパネル３０に対しては、微小凹凸条２が有する網目状パターン２Ｐが、複数の単位パターン領域Ｓの配列から構成されていて、且つ各々の単位パターン領域Ｓ内に於いては互いに同一のパターンで開口領域Ａが配列されている構成とした複数の単位パターン領域Ｓを含む形態とした方が、網目状パターン２Ｐのパターン作成を格段に容易化することが可能となる点において好ましい。
【００５５】
なお、特に一種類の単位パターン領域Ｓを図１０に示す様に縦横に複数配置する例においては、特定方向（図面縦方向と横方向の２方向）で単位パターン領域Ｓとしての繰返しが存在する。図１０の実施形態に於いては、横方向に繰返周期ＳＰ２、縦方向に繰返周期ＳＰ１を以って単位パターン領域Ｓが繰り返される。この条件下では、特定方向に於ける単位パターン領域Ｓの寸法をＬｓとし、該特定方向に延びる任意の直線ｄｊ上において単位パターン領域Ｓが寸法Ｌｓ内に開口領域ＡをＮ個有するとき、直線ｄｊ上の或る開口領域Ａに注目すると、直線ｄｊ上では開口領域Ａの個数がＮ個分だけ離れた位置には、全く同じ寸法ｔｊ及び形状の開口領域Ａが常に存在するという規則性を有する。しかし、この規則性は、単位パターン領域Ｓとしての繰返周期（前記で言えば寸法Ｌｓがその繰返周期に該当する）に基づくものであり、開口領域Ａとしての繰返周期ではなく、各単位パターン領域Ｓ内に於いて開口領域Ａが繰返周期を上記特定方向に持つことではない。また、単位パターン領域Ｓとしての繰返周期は、ディスプレイパネルの画素配列の配列周期に対して寸法が例えば１０００倍以上異なる為に、モアレが発生する様な近い寸法関係にない。
【００５６】
図１０に示された例では、光学シート１０が、同一の形状を有した六つの単位パターン領域Ｓに分割され、各単位パターン領域Ｓ内で微小凹凸条２が有する網目状パターン２Ｐが同一に構成されている。そして、六つの単位パターン領域Ｓは、図１０の縦方向（図の上下方向）に繰返周期ＳＰ１で三つの領域が並ぶとともに、図１０の横方向に繰返周期ＳＰ２で二つの領域が並ぶように配列されている。
【００５７】
［微小凹凸条の主切断面形状］
微小凹凸条２の主切断面形状は、光拡散性を付与できる形状であれば特に限定はない。光拡散性を付与できる形状とは、一方の面１ｐに対して、凸形状、凹形状の何れか一方又は両方の形状を有することである。こうした形状によって、一方の面１ｐである開口領域Ａの部分での本体部１と単位光学要素３とで構成される界面に於ける光の屈折作用と異なる、光の屈折作用によって、光を拡散させることができる。
こうした微小凹凸条２の主切断面形状としては、例えば、図２の断面図で示した各種形状をとり得る。図２（１）〜図２（５）は凸形状の例であり、図２（１）は長方形（含む正方形）、図２（２）は台形、図２（３）は円又は楕円の一部、図２（４）は三角形、図２（５）は三角形や台形の斜辺が外側に向かって凸形状に変調された形状（図は三角形の場合）である。図２（６）〜図２（１０）は凹形状の例であり、図２（６）は長方形（含む正方形）、図２（７）は台形、図２（８）は円又は楕円の一部、図２（９）は三角形、図２（１０）は三角形や台形の斜辺が外側に向かって凸形状に変調された形状（図は三角形の場合）である。また、凸形状及び凹形状共に、この他、図示は省くが、五角形、六角形などでも良い。図２（１１）は、凸形状であり且つ凹形状である例である。図面は概念的なものであり、断面形状の角は製造上の造形精度や形状耐久性などを勘案して、丸みを帯びていることがある。
【００５８】
［微小凹凸条の寸法］
微小凹凸条２の主切断面形状での寸法は、光拡散性を付与できる寸法とする。主切断面形状での寸法とは、図２で示す様に、一方の面１ｐに於ける幅Ｗ、及び高低差Ｈである。
この為には、微小凹凸条２の寸法は、少なくとも光源光中の可視光線スペクトルの最短波長０．３８μｍ以上、より好ましくは、光源光中の可視光線スペクトルの最長波長０．７８μｍ以上とし、通常は、多少余裕を見込んで１μｍ以上とする。また、１００μｍを超えても光拡散性効果は既に飽和している上、微小凹凸条２が視認され易くなる。よって、これらの兼ね合いから、微小凹凸条２の寸法は１〜１００μｍ程度である。微小凹凸条２の寸法は、網目状パターン２Ｐの全領域にて同一とする必要はない。したがって、微小凹凸条２が有する網目状パターン２Ｐを構成する境界線分Ｌの線幅は１〜１００μｍ程度となる。
微小凹凸条２が有する網目状パターン２Ｐが画成する開口領域Ａの寸法は、開口領域Ａの面部分は光拡散性に寄与しないため最大限に光拡散性を得る点では開口領域Ａは小さい方が好ましく、開口領域Ａを内接する外接円の直径にて１〜５００μｍ、好ましくは３〜３０μｍ程度とする。
【００５９】
［屈折率差］
微小凹凸条２が光拡散性を発揮するためには、微小凹凸条２と単位光学要素３との界面において、屈折率差を有することが必要である。この屈折率差としては、光拡散性を効果的に発揮させるために、０．１以上、より好ましくは０．２以上とすることが望ましい。
微小凹凸条２と単位光学要素３との界面とは、微視的且つ平面視でみると、微小凹凸条２を構成する網目状パターン２Ｐのライン部Ｌｔの部分と単位光学要素３との界面のことである。
【００６０】
上記屈折率差は、微小凹凸条２と単位光学要素３との界面を形成する、該界面の本体部１側を構成する材料の屈折率と、単位光学要素３を構成する材料の屈折率によって決まる。これら両方の材料の屈折率を適宜に選択することで、屈折率差を調整する。
微小凹凸条２と単位光学要素３との界面の本体部１側を構成する材料とは、微小凹凸条２が本体部１とは異なる材料で構成される場合は、微小凹凸条２を構成する材料であり、微小凹凸条２が本体部１と一体的に同一材料で構成される場合は、本体部１を構成する材料となる。
例えば、微小凹凸条２が、図２（１）〜（５）のように一方の面１ｐに対して凸形状となる部分では、この微小凹凸条２は本体部１と一体的に同一材料で構成することもできるし、異なる材料で構成することもできる。一方、微小凹凸条２が、図２（６）〜（１０）のように一方の面１ｐに対して凹形状となる部分では、この微小凹凸条２は本体部１と異なる材料で形成することはできないので、本体部１と一体的に同一材料で構成されることになる。したがって、微小凹凸条２が一方の面１ｐに対して凸形状である部分では、屈折率差は本体部１を構成する材料とは関係なく設定することもできる。
このように、屈折率差に関係する、本体部１の材料、或いは微小凹凸条２自体を構成する材料、単位光学要素３の材料は、上記屈折率差を与える様に、これらは通常、１．３０〜１．７０の範囲から適宜選択される。
【００６１】
《微小凹凸条の本体部への形成法》
微小凹凸条２を本体部１の一方の面１ｐに形成する方法は、特に限定されない。成形法など公知の各種形成方法を適宜採用して形成することができる。
【００６２】
微小凹凸条２は、一方の面１ｐに対して凸形状となる部分で且つ本体部１とは異なる材料で構成する部分においては、微小凹凸条２は本体部１の一方の面１ｐとの境界、つまり本体部１との界面に於いては、該界面を透過する透過光に対して積極的に光学的作用を機能させなくても良いし、界面での屈折率差を利用して積極的に光学的作用を機能させても良い。このため、該界面を透過する透過光に対して積極的に光学的作用を機能させない場合は、微小凹凸条２は本体部１と一体的に成形することもできる。
このように、本体部１の一方の面１ｐは仮想的な面であるから、微小凹凸条２を一方の面１ｐに対して凸形状とする部分では、本体部１の一方の面１ｐの外側（微小凹凸条２側）と内側とは、同じ材料から構成されても良いし、異なる材料から構成されても良い。
本体部１自体の表面に直接プレス加工等の成形加工を施して微小凹凸条２を形成する場合には、必然的に、本体部１と微小凹凸条２とは同一の材料から構成されることになる。
【００６３】
本体部１の一方の面１ｐに微小凹凸条２を形成するための成形法としては、例えば、下記の成形法乃至は成形型を利用して成形できる。この成形型の型面には、微小凹凸条２とは逆凹凸形状の凹凸が設けられている。
【００６４】
ａ）円筒状の成形型の型面に未硬化では液状の電離放射線硬化性樹脂を塗布後、塗布面に樹脂シートを押し付けた後、型面上で樹脂を硬化させ、その後樹脂シートを該樹脂の硬化物と共に剥がして該硬化性樹脂面に賦型する賦型法、
ｂ）円筒状の成形型と押圧ロール間にＴダイ等から押し出した溶融樹脂を供給して該成形型面で樹脂を冷却固化することによって、成形する溶融押出成形法、
ｃ）射出成形法、
ｄ）加熱された成形型と金属板や金属ロール間に樹脂を挟んで加熱加圧し、冷却固化後離型する熱プレス法、
ｅ）成形型に樹脂を積層後、成形型を剥がして樹脂面に型面の形状を転写する転写法。
【００６５】
（本体部１の構成と一方の面１ｐ）
上記成形法の説明にて、樹脂シートと樹脂材料とを用いる場合で説明すると、上記ａ）賦型法などの方法によれば、樹脂材料を成形型と樹脂シートとの間の全面に介在させることで、樹脂シートは成形型の型面に接触していない状態で、樹脂材料を硬化させて微小凹凸条２を樹脂シート上に成形することもできる。この結果、本体部１は、樹脂シートとシート状に硬化した樹脂材料とから構成されるようになる。また、上記ｂ）又はｃ）の成形法を適用した場合は、樹脂シートが成形型の型面に接触している状態で、樹脂材料を固化（乃至硬化）させて微小凹凸条２を樹脂シート上に成形することもでき、この場合は、本体部１は、樹脂シートのみから構成されるようになる。従って、一方の面１ｐとは、後者の場合は樹脂シートの表面となり、前者の場合は、硬化した樹脂材料の内部の仮想的な面となる。
【００６６】
微小凹凸条２は、成形法以外の形成方法として、印刷法によって形成しても良い。印刷法では、微小凹凸条２が有する網目状パターン２Ｐに対応する画線を印刷する。印刷法では、樹脂材料をインク化したものを用いる。印刷法としては、凹版印刷、シルクスクリーン印刷、オフセット印刷、活版印刷、インクジェット印刷等、公知の印刷法を採用できる。
【００６７】
［微小凹凸条の材料］
微小凹凸条２を本体部１とは異なる材料で形成する場合は、微小凹凸条２は、透明材料から構成することができる。該透明材料としては基本的には特に制限はなく、樹脂材料、或いは本体部が特に無機材料であるときはガラスやセラミックス等の無機材料を用いても良い。なかでも、樹脂材料は、形成が容易な点で好ましい。該透明材料としては、アクリル樹脂、ポリカーボネート樹脂、スチレン樹脂等の熱可塑性樹脂でも良いが、固化が迅速などの点で、好ましくは、硬化性樹脂、それも、紫外線や電子線で硬化する電離放射線硬化性樹脂を用いるのが良い。電離放射線硬化性樹脂としては、アクリレート系、エポキシ系、ポリエステル系などの樹脂が挙げられる。
【００６８】
微小凹凸条２は、微小凹凸条２を本体部１とは異なる材料で構成する場合、微小凹凸条２を構成する材料中に光拡散性粒子を含有させても良い。光拡散性粒子としては、シリカ、アルミナ、ガラス等の無機材料、或いはアクリル樹脂、ポリカーボネート樹脂等の樹脂材料からなる粒子を用いることができる。光拡散性粒子を光拡散性粒子とは異なる屈折率のマトリックス中に分散させることで、光拡散性粒子によっても、光拡散効果が得られる。ただ、それは等方的な光拡散効果となり正面輝度が低下するため、光拡散性粒子は、支障を来たさない程度での使用となる。
【００６９】
［光拡散性の評価尺度］
本光学シート１０は、後述の如く、面光源装置に組み込まれて画像表示装置に適用するに当たり、透過光に適度な光拡散性を付与させることが出来る。この光拡散性は、ＪＩＳ  Ｋ７１３６（２０００年版）規定のヘイズ（曇価）によって規定することができる。
画像表示装置に適用される場合のヘイズは２０〜９５の範囲、通常は、３０〜９０の範囲とする。光学シート１０のヘイズの値は、微小凹凸条２の形状（主切断面形状及びその幅Ｗと高低差Ｈ、開口領域の外接円直径、及び網目状パターン２Ｐの平面視形状）、及び屈折率によって決まるため、これらを適宜調整して所望のヘイズを得るように設計する。
【００７０】
《単位光学要素》
単位光学要素３は、微小凹凸条２が形成されている一方の面１ｐに、多数、一次元配置又は二次元配置され光の進行方向を変化させる透明な光学要素である。単位光学要素３は、本体部１の一方の面１ｐと、この一方の面１ｐに形成された微小凹凸条２とによって形成される表面に対して凸なる形状を有する。この様な単位光学要素３としては、従来公知の各種形状のものを用いることができる。
【００７１】
例えば、一次元配置される単位光学要素３としては、柱状単位プリズム、柱状単位レンズ等の柱状単位光学要素があり、これら各柱状単位光学要素の延在方向（稜線方向）と直交する方向（図１（Ａ）に於いては左右方向）に規則的又は不規則的に配列させる。この配列を一次元配置と呼称する。二次元配置される単位光学要素３としては、四角錘等の錐体状単位プリズム、半球状単位レンズ等の突起状単位光学要素がある。これら各突起状単位光学要素をシート面内の２方向（例えば、ＸＹ面内に於けるＸ方向及びＹ方向）に規則的又は不規則的に配列させる。この配列を二次元配置と呼称する。
【００７２】
ここで、プリズムとは表面（空気との接触面）が平面の組み合わせからなる光学要素、レンズとは表面が単一の曲面乃至は複数の曲面の組み合わせからなる光学要素を意味する。
【００７３】
単位光学要素３は、その表面が平面と曲面との組み合わせからなる光学要素でも良く、この場合は平面の部分はプリズムとして機能し、曲面の部分はレンズとして機能する。
【００７４】
［一次元配置される単位光学要素］
上記一次元配置される柱状単位プリズムとしては、主切断面形状が三角形｛図１３（１）参照｝の三角柱単位プリズムが代表的であるが、この他、主切断面形状が、五角形｛図１３（２）参照｝、六角形などの多角柱単位プリズムでも良い。
上記一次元配置される柱状単位レンズとしては、表面部分の主切断面形状が円又は楕円の一部を成す形状｛図１３（３）参照｝の円柱状単位レンズが代表的であるが、この他、表面部分の主切断面形状が、放物線、双曲線、サイクロイド、カージオイド、正規分布曲線、正弦曲線、双曲線正弦曲線、楕円関数曲線（ｓｎ関数、ｃｎ関数）、ベッセル関数曲線、ランキンの卵型曲線、等の一部を成す連続して滑らかな曲線からなる曲面柱単位レンズでも良い。
【００７５】
［二次元配置される単位光学要素］
上記二次元配置される錐体状単位プリズムとしては、断面形状が三角形｛図１３（１）参照｝の円錐体又は角錐体単位プリズムが代表的であるが、この他、断面形状が台形の円錐台又は角錐台単位プリズムでも良い。
錐体状単位プリズムの、微小凹凸条２が形成されている一方の面１ｐに接する底面の形状は、例えば、三角形、四角形、五角形、六角形等の多角形、円、楕円等の滑らかな連続曲線形状などである。
上記二次元配置される半球状単位レンズとしては、表面部分の断面形状が円又は楕円の一部を成す形状｛図１３（３）参照｝が代表的であるが、この他、放物線、双曲線、サイクロイド、カージオイド、正規分布曲線、正弦曲線、双曲線正弦曲線、楕円関数曲線（ｓｎ関数、ｃｎ関数）、ベッセル関数曲線、ランキンの卵型曲線、等の一部を成す形状でも良い。
半球状単位レンズの、微小凹凸条２が形成されている一方の面１ｐに接する底面の形状は、例えば、円、楕円等の滑らかな連続曲線形状、或いは、三角形、四角形、五角形、六角形等の多角形などである。
【００７６】
［変形形状］
単位光学要素３は、断面又は底面形状が変形されたものもあり得る。例えば、断面の三角形の頂点両側の両斜辺の片方又は両方を、外側又は内側に折れ曲げたり、外側又は内側に湾曲させたりした形状｛図１３（４）参照｝、三角形の頂点近傍を湾曲させて丸みを帯びさせた形状（図示略）などである。
図１３（１）〜図１３（４）に例示の単位光学要素３は、本体部１の、微小凹凸条２が形成されている一方の面１ｐに対して凸なる形状であるが、この凸なる形状であっても、例えば単位光学要素３がレンズである場合で言えば凸レンズの他に凹レンズの様に凹形状｛図１３（５）参照｝でも良い。
【００７７】
［配置の様式］
一次元配置される単位光学要素３は、直線状に延びる柱状の単位光学要素３では、直線状に延びる延在方向を互いに平行にして、通常、シート面内の一方向に対して一定の周期で配列される。また、柱状の単位光学要素３は、延びる方向は、シート面に立てた法線方向から見たときの平面視形状が、円形状や波形状など曲線、折れ線などあっても良い。
二次元配置される単位光学要素３は、通常、規則格子状に一定の周期で配列される。
一次元配置及び二次元配置の場合も共に、配置は一定の周期を有する規則的な配列以外に、不規則的な配置でも良い。
【００７８】
単位光学要素３は、レンズ要素の単位光学要素３とプリズム要素の単位光学要素３とが混在して配置されていても良い。
単位光学要素３は、一次元配置される単位光学要素３と、二次元配置される単位光学要素３とが混在して配置されていても良い。例えば、単位光学要素３は、特許第４６４２１２４号公報等に開示の如く、一次元配置される３角柱からなる単位光学要素３と、二次元配置される半球乃至半裁回転楕円体からなる単位光学要素３とが混在して配置されていても良い。
単位光学要素３は、多数配置されるとき、全て同じ形状同じ寸法のものを配置することもあるが、異なる形状、異なる寸法のものを配置することもある。
不規則性を、形状、寸法、配置の１以上に導入することで、他の部材が規則性パターンを有するときに、その規則性パターンと干渉してモアレが生じるのを防ぐことができる。
【００７９】
［寸法］
単位光学要素３の寸法は、単位三角柱プリズムである場合で示せば、例えば、一方の面１ｐに接する底辺が１０〜１００μｍ、高さが１０〜１００μｍ、頂角の角度は８０〜１２０°、配列周期は１０〜１００μｍである。
【００８０】
以上、単位光学要素３の各種形状及び配置は、集光乃至は光拡散などの要求される光学機能、及び材料の収差等の光学性能に基づいて、適宜選択される。
【００８１】
《変形形態》
本光学シート１０は、上記した実施形態及び構成以外に、例えば下記の様に、更に、微小凹凸条２の変形形態、その他の構成要素を加えた形態などとしても良い。
【００８２】
［開口領域以外に対する繰返周期］
上記した実施形態に於いては、光学シート１０は、微小凹凸条２の全領域が、開口領域Ａに繰返周期を有する方向が存在しない網目状パターン２Ｐのみから構成されていた。
しかしながら、ディスプレイパネルの画素の周期的配列とのモアレが実質上無視し得る範囲内であるならば、一部、開口領域Ａが一定の繰返周期で配列する方向が存在するような網目状パターン２Ｐを採用しても良い。勿論、この様な特定方向以外は、開口領域Ａが繰返周期を有する方向が存在しない。本発明の網目状パターン２Ｐには、このような形態も包含する。例えば、周期性を有する網点が開口領域Ａを構成するような繰返周期を有する網点パターンによって、製品型版などを表わす文字の表示領域を設けることができる。
【００８３】
［屈折率差増強層］
微小凹凸条２と単位光学要素３との間に、屈折率差増強層を介在させても良い。この屈折率差増強層は微小凹凸条２の凹凸形状を引き継いで該凹凸形状と同様の凹凸形状をしている。このため、屈折率差増強層を介在させることによって、微小凹凸条２と単位光学要素３との屈折率差を大きくとれない場合に、微小凹凸条２の凹凸形状による光拡散効果を、屈折率差増強層に伝播した凹凸形状によって発揮させることができる。
こうした屈折率差増強層としては、高屈折率又は低屈折率の物質からなる透明な層を用いることができる。例えば、高屈折率の物質としては、二酸化チタン（屈折率２．５）、二酸化セリウム（屈折率２．３）等があり、低屈折率の物質としては、フッ化マグネシウム（屈折率１．３８）、氷晶石（屈折率１．３５）等がある。こうした物質からなる屈折率差増強層は、微小凹凸条２が形成されている一方の面１ｐに対して、真空蒸着、スパッタリングなどの公知の薄膜形成法によって形成することができる。
【００８４】
［反射防止層］
光学シート１０は、その表面に、該表面を構成する層よりも相対的に低屈折率の低屈折率層からなる反射防止層を形成しても良い。反射防止層によって、光学シート１０の最外面での光の反射損失を低減できる。
【００８５】
［帯電防止層］
光学シート１０は帯電防止層を有していてもよい。帯電防止層は、本体部１、微小凹凸条２、単位光学要素３のいずれか１以上を兼用することもできる。帯電防止層によって光学シート１０に帯電防止機能が付与され、埃等の異物付着を低減し、光学特性への悪影響を抑制できる。
【００８６】
［他の光学部材との一体化］
光学シート１０は、その他の光学部材と積層しても良い。例えば、偏光フィルム、輝度向上フィルム、位相差フィルムなどの公知の光学部材である。
このように構成とすることによって、１枚のシートで本発明の光学シート１０の機能と他の光学部材の機能の両機能を発現し、同等の機能をより少ない部品数及び総厚で実現することが出来る。
【００８７】
［Ｃ］面光源装置：
本発明による面光源装置は、光源と、この光源の出光面上に載置した上記本発明の光学シート１０と、を少なくとも備える。
本発明による面光源装置を、図１４（Ａ）に例示する一実施形態例の面光源装置１００を参照して説明する。本実施形態による面光源装置１００では、光源２０と、この光源２０の平面状の出光面２０ａ上に配置された光学シート１０とを備える。光学シート１０は、図１等で例示した本発明の光学シート１０である。
光学シート１０が備える微小凹凸条２によって、輝度低下もモアレも輝度ムラも生じさせずに光拡散性が付与されている。
【００８８】
本実施形態例では、光源２０は、出光面２０ａが平面状となる面光源であり、この面光源の光源２０としては、公知の光源を採用できる。
例えば、発光源として、面状発光体の電界発光パネル（ＥＬパネル）を用いれば、そのまま面光源の光源２０として用いることができる。また、発光源として、線状発光体の冷陰極管、点状発光体の発光ダイオード（ＬＥＤ）を用いるときは、導光板、光拡散板、光反射板などを適宜組み合わせて、出光面２０ａが平面状となる様に、エッジライト（サイドライト）型又は直下型として光源２０を構成する。言い換えると、この場合、光源２０は光源モジュールとも言える。
【００８９】
また、出光面２０ａは仮想的な面でもよい。例えば、直下型の面光源で発光体から光学部材１０に至る部分に空間を有する場合などである。
【００９０】
面光源装置１００は、光源２０及び光学部材１０以外に、更にその他の部材を備えていても良く、その他の部材としては、面光源装置における公知の各種部材を適宜採用することができる。その他の部材の例を挙げれば、偏光分離フィルム等の輝度向上フィルム、偏光フィルム、位相差フィルム、光拡散シート、集光シート等である。
【００９１】
面光源装置１００としては、光学シート１０の光源２０に対する向きは、図１４（Ａ）の様に、単位光学要素３側を観察者Ｖ側とする向きでも良いが、これとは逆に、図１４（Ｂ）の様に、単位光学要素３側を光源２０側とする向きでも良い。単位光学要素３の向きによって、配光特性を調整することができる。
これらの図面において、図面上方の面光源装置１００としての出光面側が、画像表示パネルが配置されその画像の観察者Ｖ側となる。
光学シート１０は一枚の配置の他、２枚など複数枚を重ねて配置してもよい。複数枚配置することで、例えば、単位光学要素２が柱状単位光学要素であり光学特性がシート面方向で方向性を有する場合に、複数の方向にその方向性を有する光学特性を配することができる。
【００９２】
［Ｄ］画像表示装置：
本発明による画像表示装置は、上記の本発明による面光源装置１００と、この面光源装置１００の出光面上に載置したディスプレイパネルとを少なくとも備える。
本発明による画像表示装置を、図１５に例示する一実施形態例の画像表示装置１０００を参照して説明する。図１５に例示する画像表示装置１０００は、上記した様な光学シート１０を備える面光源装置１００と、この面光源装置１００の出光面１００ａ上に配置されたディスプレイパネル３０とを備える、表示装置である。本画像表示装置１０００は、面光源装置１００及びディスプレイパネル３０以外に、筐体（キャビネット）、入出力部品等の他、画像表示装置の用途に応じて、例えば、テレビジョン受像機の場合はチューナ等の、公知の各種部品を備える。これらのその他の構成要素は、特に制限はなく、用途に応じたものとなる。
【００９３】
ディスプレイパネル３０は、液晶パネルなどの透過型で画像を表示可能な表示パネルである。ディスプレイパネル３０としては、ディスプレイ駆動回路等の各種回路、該駆動回路とディスプレイパネル本体間の配線、これらを一体化するシャーシ、フレーム、タッチパネル等を含んでいても良い。従って、ディスプレイパネル３０は、「ディスプレイモジュール」乃至は「パネルモジュール」等と呼ぶこともできる。
【００９４】
この様な構成の画像表示装置１０００とすることによって、その面光源装置１００には上記光学シート１０が使用されている為、画像の観察者Ｖ側から画像表示装置１０００を見たときに、該光学シート１０が備える単位光学要素３と微小凹凸条２によって、モアレも輝度ムラも生じさせずに、光源光の利用効率を高めて正面輝度を維持しつつ光拡散効果が、単位光学要素３による集光効果に付与された装置となる。
【００９５】
［Ｅ］用途：
本発明による光学シート１０は、面光源装置用などの光学シートとして好適である。この光学シート１０を備える面光源装置１００は、透過型表示装置のバックライトとして好適である。この面光源装置１００を備える画像表示装置１０００は、テレビジョン受像機、測定機器や計器類、事務用機器、医療機器、電算機器、電話機、電子看板、遊戯機器、デジタルフォトフレーム等の画像表示装置として好適である。
【符号の説明】
【００９６】
１    本体部
１ｐ  一方の面
１ｑ  他方の面
２    微小凹凸条（光拡散層）
２Ｐ  網目状パターン
３    単位光学要素
１０    光学シート
２０    光源
２０ａ  出光面
３０    ディスプレイパネル
１００    面光源装置
１００ａ  出光面
１０００    画像表示装置
Ａ    開口領域
Ｂ    分岐点
ＢＰ  母点
Ｌ    境界線分
Ｌｔ  ライン部（境界線分の集合）
Ｓ    単位パターン領域
Ｖ    観察者
【図１】
2013011667.tif 000003
【図２】
2013011667.tif 000004
【図３】
2013011667.tif 000005
【図４】
2013011667.tif 000006
【図５】
2013011667.tif 000007
【図６】
2013011667.tif 000008
【図７】
2013011667.tif 000009
【図８】
2013011667.tif 000010
【図９】
2013011667.tif 000011
【図１０】
2013011667.tif 000012
【図１１Ａ】
2013011667.tif 000013
【図１１Ｂ】
2013011667.tif 000014
【図１１Ｃ】
2013011667.tif 000015
【図１２Ａ】
2013011667.tif 000016
【図１２Ｂ】
2013011667.tif 000017
【図１２Ｃ】
2013011667.tif 000018
【図１３】
2013011667.tif 000019
【図１４】
2013011667.tif 000020
【図１５】
2013011667.tif 000021